(57)【特許請求の範囲】
【請求項１】
本体内にプリント基板を設け、該本体にカバーを係合させて筐体を構成する電子機器において、
前記本体に、前記プリント基板を載置するリブを形成すると共に、弾性を備え、前記プリント基板を保持する係合突起が内側に形成された係合部材を設け、
該係合部材に、前記カバーを係合させるための係合突起または係合凹部を設け、
該本体の係合突起または係合凹部に係合する係合凹部または係合突起を前記カバーの内面に設け、
前記本体の係合部材は、前記本体に前記プリント基板を係合させる際に、先端が外側に開き、前記本体に前記カバーを係合させる際には、前記カバーによって、該先端が内側方向に押しつけられることを特徴とする電子機器。
【請求項２】
前記係合部材としては、係合凹部を有する門状体であり、該係合凹部は前記カバーに設けた係合突起とほぼ同じ幅を有することを特徴とする請求項１記載の電子機器。
【発明の詳細な説明】
【０００１】
【発明の属する技術分野】
一般に、集合住宅等で採用されるインターホンシステムのカメラで撮影した映像を伝送する映像線は、映像制御装置を介して通話線と制御線と共に各住戸のドアホン取付用のスイッチボックス内に設けられた分岐部で順次送り配線されるようになっている。そして、映像信号を伝送する映像線が分岐部で分岐されて、カメラの撮影画像が各住戸のモニタ上に表示される。本発明は電子機器に係り、さらに詳しくは上述のインターホンシステムの分岐部に設けられて映像線を分岐接続する電子機器に関するものである。
【０００２】
【従来の技術】
図８は従来の分岐器を使用した集合住宅通話システムの構成を示す説明図、図９は分岐器の構成を示す分解斜視図で、特開平８−１７４９７号公報記載の図面が示されている。
図８において、２１０は住宅情報盤、２１１は住宅情報盤２１０に並設されたモニターテレビである。２１２は映像制御盤、２１３はロビーインターホン、２１４は警報監視盤である。映像制御盤２１２とロビーインターホン２１３は集合玄関のパネルに取り付けられ、警報監視盤２１４は管理人室等に設けられてシステムの動作状態が監視される。また、Ｄはドアホン小器で、ここでは表示されていないがドアホン小器Ｄの背面に設けられた壁面ボックスＣ内に次図に示す分岐器Ａが配置されている（要すれば上記公報参照）。
【０００３】
図９において、１０１は本体ケース、１０２はＰ板、１０３は速結端子ブロック、１０４は本体カバー、１０５は取付金具、１０７はコイル、１０８はトランスである。１０６はＰ板１０２上に設けられた速結端子ブロック１０３の位置決め表示部、１０９と１１０はコイル１０７とトランス１０８の位置決め表示部、１１１は位置決め表示部１０６に対応する開口、１１２はネジ孔である。本体ケース１０１と本体カバー１０４でハウジングを構成し、このハウジングは各速結端子ブロック１０３を配設した面の大きさが壁面ボックスＣのボックス開口の大きさと略同等または若干小さめに形成されている。
【０００４】
上述したような従来の分岐器Ａは、本体ケース１０１の上面側にＰ板１０２を載置し、このＰ板１０２の位置決め表示部１０６に各速結端子ブロック１０３を設置するとともに、位置決め表示部１０９と１１０にコイル１０７とトランス１０８をそれぞれ設置する。しかるのち、上記本体ケース１０１に対して、その上から本体カバー１０４を嵌合し、本体ケース１０１のネジ孔１１２に挿入したネジによって締め付け、本体ケース１０１と本体カバー１０４とこれらの間に介装されるＰ板１０２とを一体化する。このとき、各速結端子ブロック１０３を除くコイル１０７等の電気部品類が収納される。
【０００５】
このような構成の従来の分岐器Ａでは、通話線、映像線、制御線の各速結端子ブロック１０３が一括して本体ケース１０１内に設置されているので、壁面ボックスＣ内で各配線を整然とできると共に、各速結端子ブロック１０３を全て速結端子ブロックで構成したため、ハウジングの大きさを、壁面ボックスＣの開口より挿入可能な大きさに小型に形成できるので、壁面ボックスＣ内から引き出した電線を速結端子ブロック１０３で結線した後、分岐器Ａごと壁面ボックスＣに挿入・収納するという施工方法が可能であるので、端子接続が迅速にはかどるとともに分岐器Ａの施工性およびメンテナンス性が大幅に向上する等の効果がある、という説明がなされている。
【０００６】
【発明が解決しようとする課題】
一般に、この種のインターホンシステムにおいては集合住宅等の建築規模の大小や施行計画に基づいて、テレビモニタ２１１を省略して通話用と制御用の伝送線だけを利用する、いわば簡易式の“通話型システム”を採用する場合がある。そして、分岐器Ａを介して住宅情報盤２１０がロビーインターホン２１３と警報監視盤２１４に接続されて、３者の相互間を通話のみによって情報交換が行なわれる。この“通話型システム”ではモニタテレビ２１１や映像制御盤２１２等の設置が不要なため施工費が廉価で保守・管理等も簡略化されるので、この簡易式の“通話型システム”も少なからず採用されている。
【０００７】
これに対して、図８，９に示された従来の分岐器Ａは、通話線、映像線、制御線の各端子ブロック１０３が一括して本体ケース１０１と本体カバー１０４とからなるハウジング内に収容されている。したがって、建物の施工の当初から上記したような簡易式の“通話型システム”を採用した場合は、速結端子ブロック１０３の中の映像用の速結端子が遊んでいて不使用状態になることになる。
【０００８】
このため、内部容積が無駄になり、それだけ小型化に支障が生じることになる。一方、簡易式の“通話型システム”を施工後にテレビモニタ２１１を付設するような改造を施してグレードアップするような場合は、通話線と制御線が結線済みの分岐器Ａを若干小さめに形成したボックス開口から引き出さなければならず、後付け処理が極めて面倒になる等の問題点があった。
【０００９】
本発明は、上述のような従来の分岐器の問題点を解消するためになされたもので、遊び端子や無駄な空きスペースをなくして可及的に小型化した筐体を構成すると共に、システムの規模に応じて適用できる汎用性を備えた映像アダプタのような電子機器を実現しようとするものである。
【００１０】
【課題を解決するための手段】
本発明は、本体内にプリント基板を設け、本体にカバーを係合させて筐体を構成する電子機器において、本体に、プリント基板を載置するリブを形成すると共に、弾性を備え、プリント基板を保持する係合突起が内側に形成された係合部材を設け、係合部材に、カバーを係合させるための係合突起または係合凹部を設け、本体の係合突起または係合凹部に係合する係合凹部または係合突起をカバーの内面に設け、本体の係合部材は、本体に前記プリント基板を係合させる際に、先端が外側に開き、本体にカバーを係合させる際には、カバーによって、先端が内側方向に押しつけられる電子機器を構成したものである。
また、上記において、係合部材としては、係合凹部を有する門状体であり、係合凹部はカバーに設けた係合突起とほぼ同じ幅を有する電子機器を構成したものである。
【００１５】
【発明の実施の形態】
以下、本発明の実施の形態を、図面を用いて説明する。
実施の形態１
図１は本発明電子機器の実施の形態１の構成を示す分解斜視図、図２は図１の外観説明図で、（ａ）は平面図、（ｂ）左側面図、（ｃ）は背面図、図３は図１の断面説明図で、（ａ）は平断面図、（ｂ）は横断面図、（ｃ）は側断面図、図４は実施の形態１の電子機器の回路図、図５は実施の形態１のインターホンシステムの一部の構成を示すブロック図である。本発明の実施の形態では前述の従来と対応する部材でも、一部の部材には異なる符号と名称が用いられている。
【００１６】
図１乃至図５において、１は映像アダプタである。映像アダプタ１は本発明の電子機器を構成する。２は映像アダプタ１の筐体、２ａはその本体、２ｂはカバーである。筐体２はほぼ直方体状の六面体からなり、合成樹脂により箱形に成型されている。２０と２１は係合部材としての対構造の柱状体で、特に柱状体２０は中央に係合凹部としての係合穴２０ａを備えた門型（以下、門状体と言う）に形成されている。この門状体２０と柱状体２１は、本体２ａの対向する内壁面に設けられてそれぞれ鍵形の係合用突起としての突起２２と２３が形成されている。門状体２０と柱状体２１は樹脂材により弾性を備え、特に門状体２０は側壁上に突出していて門面と直角方向に撓む可撓性が与えられている。２４は貫通孔を設けた段付きの中空状のボス、２５はボス２４に螺入されるタッピングネジのような締め付けネジである。
【００１７】
２６はカバー２ｂの側面から上面にかけて切除された切欠部、２７は門状体２０に対応する内面に設けられた一対の係合用の突起である。一対の突起２７の横幅は、門状体２０の門内の間隔（係合穴２０ａ）とほぼ等しく作られている。また、２８は筐体２に設けられた８個の角形の水抜き穴、２９は本体２ａの内壁に形成された複数のリブである。水抜き穴２８は六面体を構成する筐体２の短辺方向の４本の稜線上に穿設されて、何れの水抜き穴２８も２つの内壁面に連通していて外に導水できるようになっている。即ち、図１において、左側面と右側面の２つの側面を除いて、筐体２の４つの側面に水抜き穴２８は設けられる。なお、必要があれば、内壁面に雨水等を水抜き穴２８に導く溝を形成してもよく、３つの内壁面に接する頂角上に水抜き穴２８を設けて僅かな個数で効果的な自然排水構造の筐体を構成できる。
【００１８】
３はプリント基板である。３１は心線を差し込むだけで電線の電気的な接続と機械的な固定が達成される速結端子ブロック、３２はリレーユニット、３３はリレー３２により線路が切り換えられる接点部で、他の回路部品と共にプリント基板３の実装面に実装されている。図２と図４のカバー２ｂの速結端子ブロック３１の近傍に貼付されたシールに表示されたＶ１，Ｖ１とＶ１，Ｖ１は映像用の入力と出力の信号線が接続される結線用端子としての速結端子、Ｖ，ＶとＴＶ１，ＴＶ２は住戸側に分岐され、モニタ用とリレー用の信号線が接続される速結端子である。図５の１０は各住戸に設置された住宅情報盤、１１は住宅情報盤１０に並べて設けられたモニタ、１２はスイッチボックスである。また、Ｔは通話線、Ｕは制御線、Ｖは映像線（総称）である。スイッチボックス１２は前述の従来と同様に各住戸のドアホン（図８のドアホン小器Ｄ）の背面の壁面等に設けられ、このスイッチボックス１２の内部に映像アダプタ１が収容される。
このように筐体２の４つの側面上に水抜き穴２８が設けられているので、映像アダプタ１がスイッチボックス１２内に設けられる際、それらの側面が下向きになるように設置されれば、筐体２内の水は必ず水抜き穴２８から排出されることになる。水抜き穴２８のない側面が下向きに設置される場合、例えば図２（Ｃ）のような速結端子ブロック３１が上向きで筐体２が立設される場合においては、筐体２の側方に水抜き穴２８が位置するため、筐体２内にはわずかではあるが水が溜まる。しかし筐体２内に設けられるプリント基板３は、図２（Ｃ）の破線で示すように、その底辺３ａは水抜き穴２８よりも高い位置にあるので、水が溜まっても、プリント基板３自体が水で濡れることはなく、それ以上に水が筐体２内に入る場合には、プリント基板３がぬれる前に、水抜き穴２８から排出される。また、図２（Ｃ）と天地を逆にして筐体２が設置される場合においては、筐体２内の水は、速結端子ブロック３１と切欠部２６の間の隙間から流出することになる。従って、映像アダプタ１はスイッチボックス１２内でどのように配置されても、雨水などによって浸食することがない。なお、筐体２は六面体以外の多面体で形成してもよい。
【００１９】
ここで、実施の形態１の映像アダプタ１の組立手順の一例を説明する。図１で示されているような構造の本体２ａとカバー２ｂとよりなる筐体２が合成樹脂から成型される。また、複数個を一括的に製造し得る大形の絶縁基板の単一区画の実装面に、次々に速結端子ブロック３１等が実装又は搭載される。その後、絶縁基板が分割されて、図１に示すような電気部品や電子部品の実装済みのプリント基板３が作られる。このプリント基板３の全面には、防水（または絶縁）のための薄い樹脂層のコーティング処理がなされる。
【００２０】
コーティング処理を施したプリント基板３を例えば手前側をやや低く傾けて、本体２ａの手前側の門状体２０の突起２２と柱状体２１の突起２３に係合させる（図１）。そのまま、プリント基板３の前方を上から水平になるように押し付けると、向かい側の２つの突起２２と２３に側端が係合してプリント基板３は本体２ａの内部に嵌合する。この係合させるときの状態では、向かい合う門状体２０の間にプリント基板３が挿入されるので、両側の門状体２０の先端が外側に反って幾分開いた状態になる。引き続いて、カバー２ｂを取り上げて、上記のプリント基板３のときと同じように手前側を下げて傾ける。
【００２１】
傾けたカバー２ｂの手前側の突起２７（図示されていない）を門状体２０の門の内側に係合させてから、カバー２ｂの前方側の上面を押し付けて向う側の突起２７を門状体２０の門の内側の係合穴２０ａに係合させる。この操作により、カバー２ｂが本体２ａに嵌合する。このカバー２ｂと本体２ａを係合させる時の状態ではカバー２ｂの突起２７により、門状体２０の先端は内側方向に押し付けられる。即ち、プリント基板３を係合させる時とは、異なる向きに門状体２０は反る。この結果、速結端子ブロック３１を切欠部２６から露出させて、プリント基板３がリブ２９上に載置されて筐体２の内部に固定状態になってしっかり保持されて収容される。さらに、タッピングネジ２５を螺合して、本体２ａとカバー２ｂの分離が防止される。なお、門状体２０に係合穴２０ａを設ける代わりに、突起２２とは反対側に係合突起を設け、この係合突起に係止する係合凹部をカバー２ｂに設けるようにしてもよい。
【００２２】
このように構成された実施の形態１の映像アダプタ１は、前述のように住戸毎に設けたスイッチボックス１２内に通話線Ｔと制御線Ｕと共に収容されることになる。収容に先立って、映像線Ｖが通話線Ｔと制御線Ｕと共に壁から引き出され、映像線Ｖにおける入，出力の信号線Ｖ１，Ｖ１とＶ１，Ｖ１等が速結端子ブロック３１のそれぞれの表示位置に速結接続される。映像用の信号線Ｖのみを分岐接続した映像アダプタ１は特別な固定具が無く、速結結線した配線群によりスイッチボックス１２内に無定位状態に支持されている。なお、詳しい説明を省略したが、スイッチボックス１２内に共存して分岐される通話線Ｔ及び制御線Ｕと各住戸への結線（図５の黒丸部分）は、防水型の圧着または中継ユニットなどのプリント基板を備えた筐体を有しない簡易な結線手段によって行われている。このように、３種類の信号線のうち、映像線Ｖのみを映像アダプタ１を使用して結線するのは、図４，図５に示すように、映像線Ｖはリレーユニット３２により分岐接続されるようになっているからである。
【００２３】
続いて、図４と図５を用いて映像アダプタ１の動作を説明する。
まず、モニタ１１に映像を表示させていない通常時は、接点部３３が入出力用の映像線Ｖ１，Ｖ１とＶ１，Ｖ１のみを接続している。映像制御装置側から入力された映像信号が、次の住戸の映像アダプタ１に順次伝送される状態となっており、モニタ１１、つまり住戸側へ分岐される伝送線Ｖ，Ｖへのラインは切断状態になっている。従来のロビーインターホン２１３に対応する集合玄関機の呼出信号があると、住戸内の住宅情報盤１０を通してリレーユニット３２が駆動される。
【００２４】
そして、映像制御用の信号線ＴＶ１，ＴＶ２を介して、接点部３３が図４の矢印のように切り換えられる。この結果、入力用の映像線Ｖ１，Ｖ１と住戸分岐用の信号線Ｖ，Ｖが接続されて、この信号線Ｖ，Ｖを通して映像制御装置からの映像信号が伝送されてモニタ１１に映像が表示される。このとき、次の住戸からの映像アダプタ１への出力用の映像線Ｖ１，Ｖ１は、切断状態となる。したがって、映像信号をモニタ１１に分岐させる回路が形成していても、次段以降の映像アダプタ１には映像信号の伝送が行われない。このため、映像線Ｖ１，Ｖ１で伝送される映像信号の減衰が抑制されるようになっている。この実施の形態１の発明は映像アダプタ１として使用した場合で説明したが、火災報知設備で使用される中継器や感知器などの電子機器にも適用可能である。
【００２５】
実施の形態２
図６は本発明の電子機器の実施の形態２の構成を示す説明図で、（ａ）は前断面図、（ｂ）は平断面図、（ｃ）は側断面図、（ｄ）は前面図、図７は実施の形態２の動作を示す説明図で、（ａ）は斜視図、（ｂ）は変形例の斜視図である。
図６と図７の（ａ）において、４は前述と異なる構造の筐体、４１は速乾型の充填材、４２は充填材４１が封入されたチューブ、４３は中継端子、４４はプリント基板３を保持するピンである。実施の形態２では筐体４が、蓋のないポット型に成型されている。
【００２６】
また、インターホンシステムで使用される映像用の信号線Ｖが接続されるリード線Ｒは図６に示すように、プリント基板３に直接半田で接続されたり、コネクタや連結用の中継端子４３を介してプリント基板３に接続されている。このほかに、プリント基板３やリレーユニット３２或いはリブ２９等の構成部材には、実施の形態１と同一の数字符号が付されている。実施の形態２の映像アダプタ１の組立て手順によれば、映像用の信号線Ｖが接続されるリード線Ｒを実装したプリント基板３がリブ２９上に載せられて筐体４の内部にセットされる。図６の（ａ）に示されたように、プリント基板３をセットしてから、チューブ４２内の充填材４１が筐体４の中に注入されて浸漬される。なお、複数本のリード線Ｒは結線用端子としての一例であり、このリード線Ｒには通信線，制御線などの他の信号線を接続してもよい。
【００２７】
図７の（ｂ）において、４５は櫛歯形の突出部である。突出部４５には中央にコ字型の挿入溝４６が形成され、プリント基板３が深さ方向に挿入される。図７（ｂ）の筐体４を用いれば、（ａ）の筐体４に比較して原理的に薄い縦型の映像アダプタ１を実現することができる。（ａ），（ｂ）に示した実施の形態２によれば、筐体４がカバーの無いオープン型でしかも実施の形態１で利用した面倒なコーティング処理が回避できる特長がある。また、プリント基板３に対するリード線Ｒの導出方向の異なる（ａ）または（ｂ）の何れかを、スイッチボックス１２の形状等に応じて選択的に採用することも可能になる。さらに、筐体４に形成した櫛歯形の突出部４５を、側壁に対向して設けたコ字型の挿入溝４６に代えて利用することもできる。
【００２８】
なお、上述の本発明の実施の形態では、筐体のカバーに側面から上面にかけて切除した切欠部を設け、この切欠部からプリント基板に実装した速結端子ブロックを露出させた場合で説明したが、筐体の形状は勿論のこと映像線の接続についても必ずしも速結接続した実施形態に限定するものではない。また、カバーを本体に係合する際にカバー内面の突起を本体側の門状体の門の間に嵌合して係合させた場合で説明したが、カバーの係合突起を門状体または柱状体に形成した係合凹部に係合させるようにしてもよい。
【００２９】
【発明の効果】
本発明は、本体内にプリント基板を設け、本体にカバーを係合させて筐体を構成する電子機器において、本体に、プリント基板を載置するリブを形成すると共に、弾性を備え、プリント基板を保持する係合突起が内側に形成された係合部材を設け、係合部材に、カバーを係合させるための係合突起または係合凹部を設け、本体の係合突起または係合凹部に係合する係合凹部または係合突起をカバーの内面に設け、本体の係合部材は、本体に前記プリント基板を係合させる際に、先端が外側に開き、本体にカバーを係合させる際には、カバーによって、先端が内側方向に押しつけられる電子機器を構成した。
また、上記において、係合部材としては、係合凹部を有する門状体であり、係合凹部はカバーに設けた係合突起とほぼ同じ幅を有する電子機器を構成した。
この結果、１つの係合部材で本体とカバーの係合と、本体とプリント基板の係合の両方を兼ねているので、筐体内のスペースが大きくなる。また、一度本体とカバーを嵌め合わせると、両者が外れ難くなり、本体とカバーの間から塵埃や水滴が流入し難くなる。さらに、本体の係合部材は門型なので、カバーの横方向の動きが規制され、上記と相まって、カバーと本体の結合が強固なものになる。よって、固定用のネジも少なく済む。
【００３３】
よって、本発明によれば、使用されない端子や無駄な空きスペースがなく、可及的に小型化した筐体を構成すると共に、システムの規模に応じて適用できる汎用性を備え、しかも故障がなく長期間の使用に耐える電子機器を提供することができる。
【図面の簡単な説明】
【図１】本発明電子機器の実施の形態１の構成を示す分解斜視図である。
【図２】図１の外観説明図である。
【図３】図１の断面説明図である。
【図４】実施の形態１の電子機器の回路図である。
【図５】実施の形態１のインターホンシステムの一部の構成を示すブロック図である。
【図６】本発明電子機器の実施の形態２の構成を示す説明図である。
【図７】実施の形態２の動作を示す説明図である。
【図８】従来の分岐器を使用した集合住宅通話システムの構成を示す説明図である。
【図９】従来の分岐器の構成を示す分解斜視図である。
【符号の説明】
１  映像アダプタ
２，４  筐体
２ａ  本体
２ｂ  カバー
３  プリント基板
１０  住宅情報盤
１１  モニタ
１２  スイッチボックス
２０  門状体（係合部材）
２１  柱状体（係合部材）
２２，２３，２７  突起（係合部材）
２５  ネジ
２８  水抜き穴
３１  速結端子ブロック
３２  リレーユニット
３３  接点部
４１  充填材
４３  中継端子
４６  挿入溝
Ｔ  通話線
Ｕ  制御線
Ｖ  映像線
Ｖ１，Ｖ１  入，出力用の映像線
Ｖ，Ｖ  モニタ用の映像線
ＴＶ１，ＴＶ２  リレー用の信号線
【図１】
0004051592.tif 000002
【図２】
0004051592.tif 000003
【図３】
0004051592.tif 000004
【図４】
0004051592.tif 000005
【図５】
0004051592.tif 000006
【図６】
0004051592.tif 000007
【図７】
0004051592.tif 000008
【図８】
0004051592.tif 000009
【図９】
0004051592.tif 000010